(57)【要約】【課題】  記憶手段に記憶された複数の照合用画像データを用いて照合を行う場合に、照合時間を短縮することを可能にする画像処理装置を提供する。【解決手段】  照合装置３は、被検者２１の撮像データＩＭＧを基に分布データ生成部１５で分布データＨＳＴを生成する。照合部１７は、分布データＨＳＴ内の画素データの数のピーク値を特定し、当該ピーク値に最も近いピーク値に関連付けられてメモリ１６に記憶された照合用画像データＶＥＲを読み出して照合を行う。メモリ１６に記憶された照合用画像データＶＥＲは、ピーク値を基にソートされている。【選択図】  図１
2005141680.tif 000002
【特許請求の範囲】
【請求項１】
登録対象体を撮像して得られ各々が画素値を示す複数の画素データで構成される撮像データを基に、画素値毎に当該画素値を示す前記画素データの数を示す分布データを生成する分布データ生成手段と、
前記分布データ生成手段が生成した前記分布データ内の所定の範囲の画素値について、当該画素値を示す前記画素データの数のピーク値を特定するピーク特定手段と、
前記撮像データを基に得られた照合用画像データを記憶する記憶手段と、
前記照合用画像データを、当該照合用画像データに対応して前記ピーク特定手段で特定されたピーク値に関連付けて前記記憶手段に書き込み、前記記憶手段に記憶されている前記照合用画像データに関連付けられた前記ピーク値をソートする処理手段と
を有する画像処理装置。
【請求項２】
前記分布データ生成手段は、被検体を撮像して得られた前記撮像データを基に、前記分布データを生成し、
前記ピーク特定手段は、前記被検体の前記分布データ内の所定の範囲の画素値について、当該画素値を示す前記画素データの数のピーク値を特定し、
前記処理手段は、前記ソートされたピーク値のうち、前記被検体について特定された前記ピーク値と最も近いピーク値を選択し、当該選択したピーク値に対応して前記記憶手段に記憶された前記照合用画像データと前記被検用画像データとを用いて最初の照合を行う
請求項１に記載の画像処理装置。
【請求項３】
前記処理手段は、前記ソートされたピーク値のうち、前記被検体について前記特定されたピーク値の第１のソート位置からの距離が近いソート位置から遠いソート位置に向けて、前記第１のソート位置の前後に位置する第２のソート位置を交互に選択し、
当該選択した第２のソート位置に前記ソートされた前記ピーク値に対応して前記記憶手段に記憶された前記照合用画像データと前記被検用画像データとの前記照合を順に行う
請求項２に記載の画像処理装置。
【請求項４】
前記処理手段は、前記ピーク値と、当該ピーク値に対応する前記照合用画像データの記憶アドレスとを対応付けて示す参照データを生成し、当該参照データ内の前記ピーク値の前記ソートを行う
請求項１に記載の画像処理装置。
【請求項５】
前記撮像データにスケルトン処理を施して前記照合用画像データを生成する照合用データ生成手段
をさらに有する請求項１に記載の画像処理装置。
【請求項６】
前記分布データ生成手段が生成した前記分布データを基に前記照合用画像データを生成する照合用データ生成手段
をさらに有する請求項１に記載の画像処理装置。
【請求項７】
登録対象体を撮像して得られ各々が画素値を示す複数の画素データで構成される撮像データを基に、画素値毎に当該画素値を示す前記画素データの数を示す分布データを生成
する第１の工程と、
前記第１の工程で生成した前記分布データ内の所定の範囲の画素値について、当該画素値を示す前記画素データの数のピーク値を特定する第２の工程と、
前記撮像データを基に照合用画像データを生成する第３の工程と、
前記第３の工程で生成した前記照合用画像データを、当該照合用画像データに対応して前記第２の工程で特定されたピーク値に関連付けて記憶手段に書き込み、前記記憶手段に記憶されている前記照合用画像データに関連付けられた前記ピーク値をソートする第４の工程と
を有する画像処理方法。
【請求項８】
被検体を撮像して得られた前記撮像データを基に、前記分布データを生成する第５の工程と、
前記第５の工程で生成された前記分布データ内の所定の範囲の画素値について、当該画素値を示す前記画素データの数のピーク値を特定する第６の工程と、
前記第４の工程で前記ソートされたピーク値のうち、前記第６の工程で特定された前記ピーク値と最も近いピーク値を選択し、当該選択したピーク値に対応して前記記憶手段に記憶された前記照合用画像データと前記被検用画像データとを用いて最初の照合を行う第７の工程と
を有する請求項７に記載の画像処理方法。
【発明の詳細な説明】
【技術分野】
【０００１】
本発明は、例えば、被検体を撮像して得られた画像データを処理する画像処理装置およびその方法に関するものである。
【背景技術】
【０００２】
従来、例えば生体（被検体）を撮像して得られた画像データを用いて個人を照合（認証）する照合装置がある。（例えば、特許文献１参照）。
上述した従来の照合装置では、例えば、複数の登録対象者のそれぞれについて、当該登録対象者の指などの指紋を撮像して撮像データを生成し、当該撮像データにスケルトン処理を施して照合用画像データを生成する。
そして、上記照合装置は、複数の登録対象者についての複数の上記照合用画像データをメモリに記憶し、照合を行う場合に、当該複数の照合用画像データを例えば登録順にメモリから読み出して被検用画像データと比較して照合を行う。
【発明の開示】
【発明が解決しようとする課題】
【０００３】
しかしながら、上述した従来の照合装置では、メモリに記憶されている複数の照合用画像データを登録順に読み出して照合するため、被検者の照合用画像データが最後の方に登録されたものである場合に、照合に非常に時間を要するという問題がある。
【０００４】
本発明は、かかる事情に鑑みてなされたものであり、記憶手段に記憶された複数の照合用画像データを用いて照合を行う場合に、照合時間を短縮することを可能にする画像処理装置およびその方法を提供することを目的とする。
【課題を解決するための手段】
【０００５】
第１の発明の画像処理装置は、登録対象体を撮像して得られ各々が画素値を示す複数の画素データで構成される撮像データを基に、画素値毎に当該画素値を示す前記画素データの数を示す分布データを生成する分布データ生成手段と、前記分布データ生成手段が生成した前記分布データ内の所定の範囲の画素値について、当該画素値を示す前記画素データの数のピーク値を特定するピーク特定手段と、前記撮像データを基に得られた照合用画像データを記憶する記憶手段と、前記照合用画像データを、当該照合用画像データに対応して前記ピーク特定手段で特定されたピーク値に関連付けて前記記憶手段に書き込み、前記記憶手段に記憶されている前記照合用画像データに関連付けられた前記ピーク値をソートする処理手段とを有する。
【０００６】
第１の発明の画像処理装置の作用は以下のようになる。
先ず、分布データ生成手段が、登録対象体を撮像して得られ各々が画素値を示す複数の画素データで構成される撮像データを基に、画素値毎に当該画素値を示す前記画素データの数を示す分布データを生成する。
次に、ピーク特定手段が、前記分布データ生成手段が生成した前記分布データ内の所定の範囲の画素値について、当該画素値を示す前記画素データの数のピーク値を特定する。
次に、処理手段が、照合用画像データを、当該照合用画像データに対応して前記ピーク特定手段で特定されたピーク値に関連付けて記憶手段に書き込み、前記記憶手段に記憶されている前記照合用画像データに関連付けられた前記ピーク値をソートする。
【０００７】
第２の発明の画像処理方法は、登録対象体を撮像して得られ各々が画素値を示す複数の画素データで構成される撮像データを基に、画素値毎に当該画素値を示す前記画素データの数を示す分布データを生成する第１の工程と、前記第１の工程で生成した前記分布データ内の所定の範囲の画素値について、当該画素値を示す前記画素データの数のピーク値を特定する第２の工程と、前記撮像データを基に照合用画像データを生成する第３の工程と、前記第３の工程で生成した前記照合用画像データを、当該照合用画像データに対応して前記第２の工程で特定されたピーク値に関連付けて記憶手段に書き込み、前記記憶手段に記憶されている前記照合用画像データに関連付けられた前記ピーク値をソートする第４の工程とを有する。
【０００８】
第２の発明の画像処理方法の作用は以下のようになる。
先ず、第１の工程において、登録対象体を撮像して得られ各々が画素値を示す複数の画素データで構成される撮像データを基に、画素値毎に当該画素値を示す前記画素データの数を示す分布データを生成する。
次に、第２の工程において、前記第１の工程で生成した前記分布データ内の所定の範囲の画素値について、当該画素値を示す前記画素データの数のピーク値を特定する。
また、第３の工程において、前記撮像データを基に照合用画像データを生成する。
次に、第４の工程において、前記第３の工程で生成した前記照合用画像データを、当該照合用画像データに対応して前記第２の工程で特定されたピーク値に関連付けて記憶手段に書き込み、前記記憶手段に記憶されている前記照合用画像データに関連付けられた前記ピーク値をソートする。
【発明の効果】
【０００９】
以上説明したように、本発明によれば、記憶手段に記憶された複数の照合用画像データを用いて照合を行う場合に、照合時間を短縮することを可能にする画像処理装置およびその方法を提供することができる。
【発明を実施するための最良の形態】
【００１０】
先ず、本願の請求項の構成と本実施形態の構成との対応関係を説明する。
図１および図９に示す分布データ生成部１５が本発明の分布デ−タ生成手段に対応し、メモリ１６が記憶手段に対応している。
また、照合部１７が図４に示すステップＳＴ２および図７に示すステップＳＴ１２の処理を実行することで、本発明のピーク特定手段が実現される。
また、照合部１７が、図４に示すステップＳＴ５、あるいは図７に示すステップＳＴ１３〜ＳＴ１９の処理を実行することで、本発明の処理手段が実現される。
【００１１】
＜第１実施形態＞
図１は、本発明の第１実施形態に係る照合システム１の構成図である。
図１に示すように、照合システム１は、例えば、撮像装置２および照合装置３を有する。
〔撮像装置２〕
図１に示すように、撮像装置２は、例えば、照射部１０、光学レンズ１２および撮像部１３を有する。
【００１２】
照射部１０は、例えばハロゲンランプ等より構成され、登録対象者１１および被検者２１の一部、例えば手などでに電磁波、例えば近赤外線を照射する。
照射部１０は、後述する登録時に登録対象者１１に例えば近赤外線を照射する。
また、照射部１０は、後述する照合時に被検者２１に例えば近赤外線を照射する。
登録対象者１１および被検者２１は、例えば、生体であり、電磁波を照射した場合、波長領域６００ｎｍ〜１３００ｎｍ程度の赤色から赤外領域の近赤外線は、他の波長領域の電磁波と比較して透過性が高い。この波長領域では血中のヘモグロビンによる光吸収が支配的になる。
例えば、登録対象者１１および被検者２１の手の甲側から近赤外線を照射し、掌側から透過光を撮像した場合に、電磁波は血中のヘモグロビンにより吸収されるため、掌側表面近傍の太い血管に相当する領域が、血管に相当する領域以外の領域よりも暗い撮像データが得られる。
血管の静脈は、成長過程で形成され後天性のものであり、この血管の形状は個人差が大きい。本実施形態では、この血管を撮像して得られた画像データを個人特有の識別情報として照合（認証）に用いる。
【００１３】
光学レンズ１２は、登録対象者１１および被検者２１からの透過光を撮像部１３に結像する。
撮像部１３は、光学レンズ１２を介して結像された透過光を基に撮像データＩＭＧを生成する。
撮像部１３は、例えば、ＣＣＤ（Charge-coupled device ：電荷結合素子）型画像センサや、Ｃ−ＭＯＳ（Complementary metal-oxide semiconductor ）型画像センサである。
撮像データＩＭＧは、これらのセンサを構成する画素の画素データによって構成される。
各画素データは、それに対応する画素の結像結果に応じた画素値を示している。
【００１４】
〔照合装置３〕
図１に示すように、照合装置３は、例えば、照合・被検用データ生成部１４、分布データ生成部１５、メモリ１６および照合部１７を有する。
照合・被検用データ生成部１４は、登録時に、撮像装置２から入力した撮像データＩＭＧにグレ−スケ−ル処理およびスケルトン処理を施して、照合用画像データＶＥＲを生成し、これを照合部１７に出力する。
また、照合・被検用データ生成部１４は、照合時に、撮像装置２から入力した撮像データＩＭＧにグレ−スケ−ル処理およびスケルトン処理を施して、被検用画像データＣＨＫを生成し、これを照合部１７に出力する。
具体的には、照合・被検用データ生成部１４は、例えば、撮像データＩＭＧに２５６階調のグレースケール変換処理を施して画像データを生成する。
そして、照合・被検用データ生成部１４は、上記グレースケール変換処理後の画像データに、モジュロ関数を用いた縮退処理を施して、照合に有用なパターン、例えば、血管を示すパターンを細らせてパターン中央部分のみを抽出した照合用画像データＶＥＲおよび被検用画像データＣＨＫを生成する。
【００１５】
分布データ生成部１５は、例えば、撮像データＩＭＧに２５６階調のグレースケール変換処理を施し、複数の画素データで構成され各画素データがグレースケール変換処理に応じた画素値を示す画像データを生成する。
そして、分布データ生成部１５は、当該画像データを構成する各画素データを基に、画素データの数を画素値毎に示す分布データＨＳＴを生成し、これを照合部１７出力する。
分布データ生成部１５は、例えば、図２に示す撮像データＩＭＧ１，２のそれぞれに対して上記処理を施して、分布データＨＳＴ１，２をそれぞれ生成する。
なお、照合・被検用データ生成部１４および分布データ生成部１５の前段に、上記グレースケール変換処理を行うグレースケール変換回路を設け、当該グレースケール変換回路の出力を照合・被検用データ生成部１４および分布データ生成部１５で用いてもよい。
【００１６】
メモリ１６は、例えば、照合・被検用データ生成部１４が生成した照合用画像データＶＥＲをファイル形式で記憶する。
【００１７】
照合部１７は、照合用画像データＶＥＲのメモリ１６への登録、並びに照合用画像データＶＥＲを用いた被検用画像データＣＨＫの照合を行う。
照合部１７は、例えば、図３に示す参照テーブルデータＲＴＢを保持する。
参照テーブルデータＲＴＢは、登録対象者の各々について、当該登録対象者を撮像して取得した照合用画像データＶＥＲのファイル名ＶＥＲ＿ＦＮと、ピーク値Ｐと、照合用画像データＶＥＲを書き込んだメモリ１６のアドレスＡＤＲとを対応付けて示す項目を有する。
ピーク値Ｐは、後述するように、分布データＨＳＴの画素値の所定の画素値範囲ＲＡＮＧＥ内における画素データの数のピーク（最大値）を示す。
これらの項目は、ピーク値Ｐを基にソートされている。
図３に示す例では、参照テーブルデータＲＴＢは、６人の登録対象者ＰＳＮ１〜６のそれぞれに対応した６つの項目を有している。
【００１８】
照合部１７の動作を、以下の照合装置３の動作と関連付けて詳細に説明する。
登録時の動作：
図４は、照合装置３の登録時の動作を説明するためのフローチャートである。
照合部１７は、例えば、複数の登録対象者の各々を、登録対象者１１として以下の登録処理を行う。
ステップＳＴ１：
照合装置３の照合・被検用データ生成部１４および分布データ生成部１５は、撮像装置２で得られた登録対象者１１の撮像データＩＭＧを入力する。
そして、分布データ生成部１５は、撮像装置２から入力した撮像データＩＭＧに２５６階調のグレースケール変換処理を施した後に、分布データＨＳＴを生成し、これを照合部１７に出力する。
【００１９】
ステップＳＴ２：
照合部１７は、分布データ生成部１５から入力した分布データＨＳＴの図２に示す画素値範囲ＲＡＮＧＥ内で、画素データの数のピーク値Ｐを特定する。
【００２０】
ステップＳＴ３：
照合部１７は、照合・被検用データ生成部１４から入力した照合用画像データＶＥＲをファイル形式でメモリ１６に書き込む。
このとき、照合部１７は、当該ファイルにファイル名ＶＥＲ＿ＦＮを割り当てる。
【００２１】
ステップＳＴ４：
照合部１７は、ステップＳＴ３で割り当てたファイル名ＶＥＲ＿ＦＮと、ステップＳＴ２で特定したピーク値Ｐと、ステップＳＴ３で照合用画像データＶＥＲを書き込んだメモリ１６のアドレスＡＤＲとを対応付けて示す項目を参照テーブルデータＲＴＢに追加する。
例えば、照合部１７は、図３に示す登録対象者ＰＳＮ６の次の登録対象者ＰＳＮ７について、図５に示すように、ファイル名ＶＥＲ＿ＦＮ７と、ピーク値Ｐ７（＝１５００）と、アドレスＡＤＲ７とを対応付けて示す項目を図３に示す参照テーブルデータＲＴＢの最後の項目として追加して参照テーブルデータＲＴＢを生成する。
【００２２】
ステップＳＴ５：
照合部１７は、ステップＳＴ４で生成した参照テーブルデータＲＴＢを、ピーク値Ｐを基にソートして図６に示すように更新する。
【００２３】
照合時の動作：
図７は、照合装置３の照合時の動作を説明するためのフローチャートである。
ステップＳＴ１１：
照合装置３の照合・照合・被検用データ生成部１４および分布データ生成部１５は、撮像装置２で得られた被検者２１の撮像データＩＭＧを入力する。
そして、分布データ生成部１５は、撮像装置２から入力した撮像データＩＭＧに２５６階調のグレースケール変換処理を施した後に、分布データＨＳＴを生成し、これを照合部１７に出力する。
また、照合・被検用データ生成部１４は、撮像装置２から入力した撮像データＩＭＧにグレ−スケ−ル処理およびスケルトン処理を施して、被検用画像データＣＨＫを生成し、これを照合部１７に出力する。
【００２４】
ステップＳＴ１２：
照合部１７は、ステップＳＴ１１で分布データ生成部１５から入力した分布データＨＳＴの図２に示す画素値範囲ＲＡＮＧＥ内で、画素データの数のピーク値Ｐを特定する。
ステップＳＴ１３：
照合部１７は、図７に示す参照テーブルデータＲＴＢ内の項目のうち、ステップＳＴ１２で特定したピーク値Ｐに最も近いピーク値を持つ項目を検索して特定する。
例えば、照合部１７は、ステップＳＴ１２で特定したピーク値ＰがＰ＝１５１０である場合に、図８に示すように、参照テーブルデータＲＴＢ内の登録対象者ＰＳＮ７の項目を特定する。
【００２５】
ステップＳＴ１４：
照合部１７は、ステップＳＴ１３で特定した項目のアドレスＡＤＲを基にメモリ１６から照合用画像データＶＥＲを読み出す。
そして、照合部１７は、ステップＳＴ１１で生成された被検用画像データＣＨＫと、上記読み出した照合用画像データＶＥＲとを照合して比較する。
ステップＳＴ１５：
照合部１７は、ステップＳＴ１４あるいは後述するステップＳＴ１９の比較で一致を示す場合に、ステップＳＴ１６に進み、そうでない場合にはステップＳＴ１７に進む。
ステップＳＴ１６：
照合部１７は、被検用画像データＣＨＫに対応する照合用画像データＶＥＲがメモリ１６に記憶されており、被検者２１が正当であると判断する。
ステップＳＴ１７：
照合部１７は、図７に示す参照テーブルデータＲＴＢ内の全ての項目の照合用画像データＶＥＲを用いて照合を行ったか否かを判断し、行ったと判断するとステップＳＴ１８に進み、そうでない場合にはステップＳＴ１９に進む。
【００２６】
ステップＳＴ１８：
照合部１７は、被検用画像データＣＨＫに対応する照合用画像データＶＥＲがメモリ１６に記憶されておらず、被検者２１が不当であると判断する。
ステップＳＴ１９：
照合部１７は、参照テーブルデータＲＴＢ内の前述した登録時にソートされたピーク値のうち、ステップＳＴ１３で特定された項目（ピーク値）のソート位置（以下、第１のソートとも記す）からの距離が近いソート位置から遠いソート位置に向けて、上記第１のソート位置の前後に位置する項目、すなわちソート位置（以下、第２のソート位置とも記す）を当該ステップＳＴ１９の処理を行う度に交互に選択する。
例えば、照合部１７は、ステップＳＴ１３で特定したピーク値ＰがＰ＝１５１０である場合に、図８に示すように、登録対象者ＰＳＮ７の項目をステップＳＴ１３で特定し、続いて、登録対象者ＰＳＮ３，ＰＳＮ２，ＰＳＮ１，ＰＳＮ５，ＰＳＮ４，ＰＳＮ６の項目をステップＳＴ１９が行われる度に順に選択する。
そして、照合部１７は、上記選択した項目のアドレスＡＤＲを基にメモリ１６から照合用画像データＶＥＲを読み出す。
そして、照合部１７は、ステップＳＴ１１で生成された被検用画像データＣＨＫと、上記読み出した照合用画像データＶＥＲとを照合して比較する。
なお、照合部１７は、図７に示す参照テーブルデータＲＴＢ内の未照合の項目のうち、ステップＳＴ１３で特定したピーク値Ｐに最も近いピーク値を持つ項目を検索して特定してもよい。
【００２７】
以上説明したように、照合装置３では、図４を用いて説明したように、照合用画像データＶＥＲのファイルをメモリ１６に書き込む場合に、図６を用いて説明したようにピーク値Ｐを基にソートされた参照テーブルデータＲＴＢを作成する。
また、照合装置３では、図７を用いて説明したように、被検用画像データＣＨＫに対応して特定されたピーク値Ｐに最も近いピーク値を参照テーブルデータＲＴＢから特定し、当該特定したピーク値に対応する照合用画像データＶＥＲを用いて最初の照合を行う。また、続いて、当該特定したピーク値の前後のソート位置にあるピーク値に対応する照合用画像データＶＥＲを用いて照合を行う。
そのため、照合装置３によれば、被検用画像データＣＨＫと近いピーク値に対応した照合用画像データＶＥＲを優先的に照合に用いることができ、被検者２１が正当な者である場合にステップＳＴ１５の比較で早い段階で一致を得ることができる。すなわち、照合装置３によれば、従来のように照合用画像データＶＥＲを登録順に用いる場合に比べて照合時間を短縮できる。
【００２８】
＜第２実施形態＞
上述した第１実施形態では、図１に示すように、照合・被検用データ生成部１４が撮像部１３からの撮像データＩＭＧを基に照合用画像データＶＥＲおよび被検用画像データＣＨＫを生成した場合を例示した。
本実施形態の照合装置１０３は、図９に示すように、照合・被検用データ生成部１１４が、分布データ生成部１５からの分布データＨＳＴを基に、照合用画像データＶＥＲおよび被検用画像データＣＨＫを生成する。
照合・被検用データ生成部１１４以外の構成は、第１実施形態と同じである。
【００２９】
照合・被検用データ生成部１１４は、例えば、分布データＨＳＴ内の第１の画素値範囲内で、予め決められた画素データの数を示す画素値を特定し、当該特定した画素値のなかで最大の画素値以下の第２の画素値範囲を特定する。
次に、照合・被検用データ生成部１１４は、上記特定した第２の画素値範囲内の分布データＨＳＴを上記第１の画素値範囲にマッピングして新たな分布データＨＳＴａを生成する。
次に、照合・被検用データ生成部１１４は、分布データＨＳＴａに所定のフィルタ処理を施して、画像データを生成する。
次に、照合・被検用データ生成部１１４は、上記画像データに対してスケルトン処理を施して照合用画像データＶＥＲおよび被検用画像データＣＨＫを生成する。
本実施形態によっても、第１実施形態と同様の効果が得られる。
【００３０】
本発明は、上述した実施形態には限定されない。
上述した実施形態では、本発明の登録対象体および被検体として被検者の指を例示したが、被検者の指以外の体の一部であってもよい。
また、本発明の登録対象体および被検体は、生体でなくてもよい。
【産業上の利用可能性】
【００３１】
本発明は、例えば、被検体を撮像して得られた画像データを処理する画像処理システムに適用可能である。
【図面の簡単な説明】
【００３２】
【図１】図１は、本発明の第１実施形態に係わる照合システムの構成図である。
【図２】図２は、図１に示す分布データ生成部および照合部の処理を説明するための図である。
【図３】図３は、図１に示す参照テーブルデータを説明するための図である。
【図４】図４は、図１に示す照合装置の登録時の動作を説明するためのフローチャートである。
【図５】図５は、図１に示す照合部による参照テーブルデータの更新処理を説明するための図である。
【図６】図６は、図１に示す照合部による参照テーブルデータの更新処理を説明するための図である。
【図７】図７は、図１に示す照合装置の照合時の動作を説明するためのフローチャートである。
【図８】図８は、図１に示す照合部による参照テーブルデータの使用形態を説明するための図である。
【図９】図９は、本発明の第２実施形態に係わる照合システムの構成図である。
【符号の説明】
【００３３】
１，１０１…照合システム、２…撮像装置，３，１０３…照合装置、１０…照射部、１１…登録対象者、１２…光学レンズ、１３…撮像部、１４，１１４…照合・被検用データ生成部、１５…分布データ生成部、１６…メモリ、１７…照合部、ＶＥＲ…照合用画像データ，ＣＨＫ…被検用画像データ，ＨＳＴ…分布データ，ＲＴＢ…参照テーブルデータ
【図１】
2005141680.tif 000003
【図２】
2005141680.tif 000004
【図３】
2005141680.tif 000005
【図４】
2005141680.tif 000006
【図５】
2005141680.tif 000007
【図６】
2005141680.tif 000008
【図７】
2005141680.tif 000009
【図８】
2005141680.tif 000010
【図９】
2005141680.tif 000011